(57)【要約】      （修正有）【課題】既存のＡＶ製品を利用してデジタルコンテンツをホームネットワーク経由で容易に視聴するシステムを提供する。【解決手段】ホームネットワークシステム１ａでは、ＤＭＰ機能が内蔵されていないＴＶ２のＨＤＭＩ（登録商標）入力端子に接続されたＳＴＢ４が、レコーダ３からホームネットワークを介して送信される録画番組データをＴＶ２に転送することにより、レコーダ３に記録されている録画番組をＴＶ２から出力させる。よって、ユーザは、ＤＭＰ機能が内蔵されたＴＶを新たに購入することなく、ＳＴＢ４をＴＶ２のＨＤＭＩ入力端子に接続するだけで、ホームネットワークシステム１ａを構築することが可能となる。また、ＴＶ２がレコーダ３にホームネットワークを介して接続不可な構成であっても、レコーダ３に記録されている録画番組を、ＳＴＢ４を経由してＴＶ２から出力することもできる。【選択図】図１
2014207522.tif 000002
【特許請求の範囲】
【請求項１】
ユーザが視聴するための映像および音声のうち少なくとも一方のデータを含むデジタルコンテンツを記録するデジタルメディアサーバと、
ディスプレイおよびスピーカのうち少なくとも一方を介して前記デジタルコンテンツを出力可能なコンテンツ出力装置と、
前記コンテンツ出力装置のデジタル入力端子に接続されるとともに、前記デジタルメディアサーバに家庭内のローカルエリアネットワークであるホームネットワークを介して接続され、該デジタルメディアサーバから該ホームネットワークを介して送信される前記デジタルコンテンツの前記コンテンツ出力装置への出力制御を前記デジタル入力端子を介して行うコンテンツ中継装置と、
を備えることを特徴とするホームネットワークのコンテンツ再生制御システム。
【請求項２】
前記コンテンツ中継装置が行う出力制御では、前記デジタルメディアサーバから前記ホームネットワークを介して当該コンテンツ中継装置へ送信される前記デジタルコンテンツを、前記デジタル入力端子を介して前記コンテンツ出力装置に転送することを特徴とする請求項１に記載のホームネットワークのコンテンツ再生制御システム。
【請求項３】
前記デジタルメディアサーバに記録されているデジタルコンテンツのうち、前記ユーザによる視聴操作に応じた視聴コンテンツを、前記デジタルメディアサーバから予め指定された１ないし複数の装置へ送信させるための指令情報を生成し、該指令情報を無線送信するデジタルメディアコントロール装置を備えることを特徴とする請求項１または請求項２に記載のホームネットワークのコンテンツ再生制御システム。
【請求項４】
前記デジタルメディアコントロール装置は、前記デジタルメディアサーバから前記ホームネットワークを介して当該デジタルメディアコントロール装置へ送信される前記デジタルコンテンツを、ディスプレイおよびスピーカのうち少なくとも一方を介して出力可能に構成されていることを特徴とする請求項３に記載のホームネットワークのコンテンツ再生制御システム。
【請求項５】
前記デジタルメディアコントロール装置は、前記指令情報を前記コンテンツ中継装置に無線送信し、
前記コンテンツ中継装置は、前記デジタルメディアコントロール装置から受信した指令情報を、前記ホームネットワークを介して前記デジタルメディアサーバに転送することを特徴とする請求項３または請求項４に記載のホームネットワークのコンテンツ再生制御システム。
【請求項６】
前記ホームネットワークは、インターネット網に接続されており、
前記デジタルメディアコントロール装置は、前記ユーザによる視聴操作を受け付けると、該視聴操作に応じた前記視聴コンテンツを特定するための視聴ログデータを、前記ホームネットワークを介してインターネット網に接続されたデータベースに送信するログデータ送信手段を有することを特徴とする請求項３ないし請求項５のいずれか１項に記載のホームネットワークのコンテンツ再生制御システム。
【請求項７】
前記デジタルメディアコントロール装置は、スマートフォンであり、
前記視聴ログデータには、前記スマートフォンの所有者を識別するための識別情報が含まれていることを特徴とする請求項６に記載のホームネットワークのコンテンツ再生制御システム。
【請求項８】
前記視聴ログデータには、前記視聴操作の種別を示す操作情報とその操作時点における前記視聴コンテンツのタイムコードとが付加されていることを特徴とする請求項６または請求項７に記載のホームネットワークのコンテンツ再生制御システム。
【請求項９】
前記視聴ログデータには、前記視聴操作がなされた日時を示す日時情報が含まれていることを特徴とする請求項６ないし請求項８のいずれか１項に記載のホームネットワークのコンテンツ再生制御システム。
【請求項１０】
請求項３ないし請求項５のいずれか１項に記載の前記デジタルメディアコントロール装置を、請求項６に記載の前記ログデータ送信手段として機能させるためのプログラム。
【発明の詳細な説明】
【技術分野】
【０００１】
本発明は、デジタルメディアサーバに記録されている映像や音楽などのデジタルコンテンツを、家庭内のローカルネットワークを介して所定の装置に出力させるホームネットワークシステムに関する。
【背景技術】
【０００２】
従来、ＤＬＮＡ（Digital Living Network Alliance）対応のデジタルメディアサーバ（ＤＭＳ）およびデジタルメディアプレイヤ（ＤＭＰ）を家庭内のローカルエリアネットワーク（ＬＡＮ）に接続し、これらの機器を、ＬＡＮを介してＤＬＮＡ規格に準拠した通信を相互に行うように構築することにより、ＤＭＳに記録されているデジタルコンテンツをＤＭＰにて再生することができるホームネットワークシステムが知られている。
【０００３】
例えば、ホームネットワークシステムでは、ＤＭＳ機能を有するレコーダと、ＤＭＰ機能を有するテレビとがＬＡＮに接続され、テレビのリモコン操作に応じた操作指令がテレビからレコーダへＬＡＮを介して送信され、その操作指令に応じたデジタルコンテンツがレコーダからテレビへＬＡＮを介して返信される。そして、レコーダからＬＡＮを介して受信したデジタルコンテンツがテレビによって再生される（例えば、特許文献１参照）。
【先行技術文献】
【特許文献】
【０００４】
【特許文献１】特開２０１１−２５００４４号公報
【発明の概要】
【発明が解決しようとする課題】
【０００５】
しかし、従来構成では、例えば家庭内にレコーダとテレビがある場合であって、レコーダにＤＭＳ機能が内蔵されていても、テレビにＤＭＰ機能が内蔵されていなければ、レコーダとテレビを用いたホームネットワークシステムを構築できないため、ホームネットワークシステムを構築しようとすると、ＤＭＰ機能が内蔵されたテレビを新たに購入しなければならない。
【０００６】
このため、従来構成では、家庭のテレビの買い替えが強いられたりテレビの台数が無用に増えたりする等、ユーザにとって容易にホームネットワークシステムを構築し難い側面があるという問題があった。
【０００７】
本発明は、上記問題に鑑みてなされたものであり、テレビ等の既存のＡＶ製品を利用してデジタルコンテンツをホームネットワーク経由で容易に視聴するシステムの提供を目的とする。
【課題を解決するための手段】
【０００８】
上記目的を達成するためになされた本発明は、ユーザが視聴するための映像および音声の少なくとも一方のデータを含むデジタルコンテンツを記録するデジタルメディアサーバ（ＤＭＳ）と、ディスプレイおよびスピーカのうち少なくとも一方を介してデジタルコンテンツを出力可能なコンテンツ出力装置とを備える。
【０００９】
ここで、本発明では、コンテンツ出力装置のデジタル入力端子に接続されるとともに、ＤＭＳに家庭内のローカルエリアネットワーク（以下「ホームネットワーク」という）を介して接続され、このＤＭＳからホームネットワークを介して送信されるデジタルコンテンツのコンテンツ出力装置への出力制御をデジタル入力端子を介して行うコンテンツ中継装置をさらに備える構成とした。
【００１０】
このような構成では、例えばＤＭＳとコンテンツ出力装置とが家庭内のそれぞれ別の部屋に設置されている場合であっても、ユーザがコンテンツ出力装置のデジタル入力端子にコンテンツ中継装置を接続するだけで、コンテンツ中継装置が行う出力制御によって、ＤＭＳに記録されているデジタルコンテンツをコンテンツ出力装置から出力することが可能となる。
【００１１】
したがって、本発明によれば、ＤＭＰ機能が内蔵されたコンテンツ出力装置を新たに購入することなく、既存のコンテンツ出力装置（ＡＶ製品）を利用してデジタルコンテンツをホームネットワーク経由で容易に視聴可能なシステムを構築することができる。
【００１２】
なお、コンテンツ出力装置は、ＤＭＰ機能が内蔵されていないＡＶ製品であり、その一例としてテレビやＡＶアンプ付きスピーカ等が挙げられる。また、コンテンツ出力装置は、ＤＭＳにホームネットワークを介して接続可能な構成であってもよいし、ＤＭＳにホームネットワークを介して接続不可な構成であってもよい。
【００１３】
前者の構成の場合、本発明では、コンテンツ中継装置が行う出力制御によって、ＤＭＳに記録されているデジタルコンテンツを、ＤＭＳからホームネットワーク経由でコンテンツ出力装置へ直接送信させることができる。
【００１４】
後者の構成の場合、本発明では、コンテンツ中継装置が行う出力制御によって、ＤＭＳからホームネットワークを介して当該コンテンツ中継装置へ送信されるデジタルコンテンツを、デジタル入力端子を介してコンテンツ出力装置に転送するとよい。これにより、コンテンツ出力装置がＤＭＳにホームネットワークを介して接続不可な構成であっても、ＤＭＳに記録されているデジタルコンテンツを、コンテンツ中継装置を経由してコンテンツ出力装置から出力することができる。
【００１５】
また、本発明では、コンテンツ中継装置が、デジタルコンテンツを視聴するためにユーザが行う各種の視聴操作を入力するメカニカルなスイッチ類やタッチパネル等を備える構成でもよいが、このような視聴操作をリモコンやスマートフォンやタブレット端末から遠隔的に行うことができると、ユーザにとってさらに利便性が増すことになる。
【００１６】
このため、本発明は、ＤＭＳに記録されているデジタルコンテンツのうち、ユーザによる視聴操作に応じたデジタルコンテンツ（視聴コンテンツ）を、ＤＭＳから予め指定された１ないし複数の装置へ送信させるための指令情報を生成し、その指令情報を無線送信するデジタルメディアコントロール装置（以下「ＤＭＣ」という）を備えることが好ましい。
【００１７】
なお、ＤＭＣでは、ユーザが、視聴コンテンツの送信元をＤＭＳに指定し、ホームネットワークシステムの構成に応じて、視聴コンテンツの送信先をコンテンツ出力装置に指定したり、コンテンツ中継装置に指定したりすることが可能であるが、さらに、視聴コンテンツの送信先をＤＭＣに指定してもよい。
【００１８】
このため、ＤＭＣは、ＤＭＳからホームネットワークを介して当該ＤＭＣへ送信されるデジタルコンテンツを、ディスプレイおよびスピーカのうち少なくとも一方を介して出力可能に構成されているとよい。
【００１９】
また、本発明では、ＤＭＣが、指令情報をＤＭＳへホームネットワークを介して無線送信してもよいし、指令情報をコンテンツ中継装置に直接無線送信してもよい。
さらに、後者の場合、コンテンツ中継装置は、ＤＭＣから受信した指令情報を、ホームネットワークを介してＤＭＳに転送するとよい。つまり、ＤＭＣが、ホームネットワーク経由で指令情報を無線送信できない構成であっても、赤外線やＢｌｕｅｔｏｏｔｈ（ＴＭ）等を用いてコンテンツ中継装置に直接無線送信することが可能であれば、ＤＭＣからコンテンツ中継装置を経由して指令情報をＤＭＳへ送信することができる。
【００２０】
ところで、本発明では、ホームネットワークがインターネット網に接続されている構成において、ＤＭＣが、ユーザによる視聴操作を受け付けると、その視聴操作に応じた視聴コンテンツを特定するための視聴ログデータを、ホームネットワークを介してインターネット網に接続されたデータベースに送信するログデータ送信手段を有してもよい。
【００２１】
このような構成では、データベースに蓄積された視聴ログデータを基に、各家庭で再生された視聴コンテンツを確実に特定することが可能となるため、録画番組等の視聴率調査を好適に行うことができる。
【００２２】
また、本発明では、ＤＭＣがスマートフォンである構成において、視聴ログデータには、スマートフォンの所有者を識別するための識別情報とその視聴時点における視聴コンテンツのタイムコードとが付加されていることが好ましい。このような構成によれば、視聴率調査において各録画番組を視聴したユーザの性別や年齢層等を特定することや、視聴コンテンツにおいて視聴された部分（視聴場面）を特定することが可能となるため、より詳細な視聴率調査を行うことができる。なお、識別情報は、スマートフォンの所有者を識別可能な情報であればよく、所有者毎に割り当てられた識別情報であってもよいし、端末毎に割り当てられた識別情報であってもよい。
【００２３】
さらに、本発明において、視聴ログデータには、視聴操作の種別を示す操作情報が含まれていることが好ましい。このような構成によれば、視聴率調査において各録画番組の視聴中に行われた操作（早送り、巻き戻し、スキップ、倍速再生等）を特定することが可能となるため、より詳細な視聴率調査を行うことができる。
【００２４】
なお、本発明において、視聴ログデータには、視聴操作がなされた日時を示す日時情報が含まれていることが好ましい。このような構成によれば、視聴率調査において各録画番組が視聴された日時や、視聴操作（早送り、巻き戻し、スキップ、倍速再生等）が行われたタイミングを特定することが可能となるため、より詳細な視聴率調査を行うことができる。
【００２５】
ちなみに、本発明は、プログラムとして市場に流通させることができる。例えば、このプログラムが、ＤＭＣを、上記ログデータ送信手段として機能させるためのものであれば、各家庭で再生された視聴コンテンツを確実に特定することができるため、録画番組等の視聴率調査を好適に行うことができる。
【００２６】
なお、プログラムは、コンピュータに組み込まれるＲＯＭやフラッシュメモリ等に記憶され、これらＲＯＭやフラッシュメモリ等からコンピュータにロードされて用いられてもよいし、ネットワークを介してコンピュータにロードされて用いられてもよい。
【００２７】
また、上述のプログラムは、コンピュータにて読み取り可能なあらゆる形態の記録媒体に記録されて用いられてもよい。記録媒体としては、例えば、持ち運び可能な半導体メモリ（例えばＵＳＢメモリ、メモリカード（ＴＭ）等）などが含まれる。
【図面の簡単な説明】
【００２８】
【図１】ホームネットワークシステムを含む視聴率調査システムの構成例を示す概略図である。
【図２】（ａ）は、コンテンツ出力装置の構成例を示すブロック図であり、（ｂ）は、デジタルメディアサーバの構成例を示すブロック図である。
【図３】コンテンツ中継装置の構成例を示すブロック図である。
【図４】コンテンツ中継装置が行う制御処理の内容を例示するフローチャートである。
【図５】（ａ）は、管理サーバの構成例を示すブロック図であり、（ｂ）は、データベースに記憶される情報を説明するためのイメージ図である。
【図６】デジタルメディアコントロール装置の構成例を示すブロック図である。
【図７】デジタルメディアコントロール装置が行う制御処理の内容を例示するフローチャートである。
【図８】ホームネットワークシステムの動作例を示す概略図である。
【発明を実施するための形態】
【００２９】
以下に、本発明の実施形態としてのホームネットワークシステムを含む視聴率調査システムを図面と共に説明する。
＜全体構成＞
図１に示すように、本実施形態の視聴率調査システム１は、各家庭内に構築されたホームネットワークシステム１ａと、無線ルータ７と、タイムサーバ８と、管理サーバ９とによって構成される。なお、ホームネットワークシステム１ａは、コンテンツ出力装置としてのテレビ（ＴＶ）２と、デジタルメディアサーバ（ＤＭＳ）としてのレコーダ３と、コンテンツ中継装置としてのセットトップボックス（ＳＴＢ）４と、ＴＶ用リモコン５と、デジタルメディアコントロール装置（ＤＭＣ）としてのスマートフォン６とによって構成される。
【００３０】
そして、視聴率調査システム１では、各家庭のホームネットワークシステム１ａが、無線ルータ７によって、インターネット網１０を介してタイムサーバ８および管理サーバ９に接続可能にされている。なお、タイムサーバ８は、インターネット網１０に接続され、同じくインターネット網１０に接続可能な各装置の時刻を標準時刻に合わせるための標準時刻情報を配信するサーバである。管理サーバ９は、詳細については後述するが、各家庭のＴＶ２で視聴された放送番組や、レコーダ３によって再生された録画番組に関する視聴率調査を行うためのサーバである。ちなみに、無線ルータ７は、インターネット網１０に接続するとともに、家庭内を無線通信可能なローカルエリアネットワーク（ＬＡＮ）環境にするための周知のものである。
【００３１】
また、ホームネットワークシステム１ａでは、無線ルータ７によって、家庭内のＬＡＮ（ホームネットワーク）が有線ＬＡＮおよび無線ＬＡＮの組合せとして整備されている。そして、例えば家庭内のリビングに設置されたレコーダ３が、有線ＬＡＮ、無線ＬＡＮまたはこれらを組み合わせたＬＡＮを介して、リビングとは別の部屋（例えば寝室）に設置されたＳＴＢ４に接続され、ユーザによって所有されているスマートフォン６が、無線ＬＡＮを介して、レコーダ３およびＳＴＢ４に接続可能に構成されている。また、これらの機器（レコーダ３、ＳＴＢ４、スマートフォン６）は、ＤＬＮＡ（Digital Living Network Alliance）に対応しており、これらの機器同士でＤＬＮＡ規格に準拠した通信を相互に行うことが可能に構成されている。なお、レコーダ３が、ＤＬＮＡ規格におけるデジタルメディアサーバ（ＤＭＳ）として機能し、スマートフォン６が、ＤＬＮＡ規格におけるデジタルメディアコントローラ（ＤＭＣ）として機能し、ＳＴＢ４を接続したＴＶ２が、ＤＬＮＡ規格におけるデジタルメディアプレーヤ（ＤＭＰ）として機能することになる。ちなみに、ＴＶ２には、ＤＭＰ機能が内蔵されておらず、ＳＴＢ４が外付けされることにより、ＤＭＰ機能を有するようになる。
【００３２】
ここで補足すると、ＤＬＮＡにおいて、ＤＭＳとは、デジタルコンテンツをホームネットワーク上の機器に配信するサーバであり、ＤＭＣとは、スマートフォン等のアプリケーションによってＤＭＳ内のデジタルコンテンツを選択して再生を指令するコントローラであり、ＤＭＰとは、ＤＭＣからの指令を受けてＤＭＳ内のデジタルコンテンツを再生するプレーヤである。厳密に言うと、ＳＴＢ４は、ＤＭＣからの指令を受けてＤＭＳ内のデジタルコンテンツをＴＶ２に再生させるデジタルメディアレンダラ（ＤＭＲ）として機能することになる。
【００３３】
また、本実施形態のスマートフォン６は、無線ＬＡＮ以外にも、周知のＢｌｕｅｔｏｏｔｈ（登録商標）に規定の通信周波数帯の電波によって近距離無線通信を行うように構成され、ＴＶ用リモコン５は、ユーザによるＴＶ２の視聴操作（以下「ＴＶ視聴操作」という）の内容を示す情報を赤外線コードとして出力するように構成されている。
【００３４】
＜コンテンツ出力装置（ＴＶ）の構成＞
図２（ａ）に示すように、ＴＶ２は、ＴＶチューナ２１と、ディスプレイ２２と、スピーカ２３と、制御部２４と、ＨＤＭＩ入力端子２５と、赤外線受光部２６と、ＵＳＢ端子２７とを備えて構成される。
【００３５】
ＴＶチューナ２１は、デジタル放送を受信する各種のアンテナやケーブル（非図示）を用いて入力された各放送チャンネルのテレビ番組（ＴＶ番組）を選局する周知のものである。
【００３６】
ＨＤＭＩ入力端子２５は、ＨＤＭＩ（登録商標）と呼ばれる通信インターフェースの標準規格に則って、デジタル形式の映像信号、音声信号、および制御信号を１本のケーブルで入力し、制御信号に関してはその出力も行うことが可能な周知のものであり、ＳＴＢ４のＨＤＭＩ接続部４５に接続されている。なお、本実施形態のＨＤＭＩ入力端子２５は、ＳＴＢ４を経由して供給される各種のデジタルコンテンツを入力したり、ＳＴＢ４から送られてくるＴＶ操作指令（後述する）を入力したりするために用いられる。
【００３７】
赤外線受光部２６は、ＴＶ用リモコン５から送信されてくる赤外線コードを受光し、その赤外線コードを制御部２４に出力するものである。なお、ＴＶ用リモコン５は、ユーザによるＴＶ視聴操作の内容を示す情報を赤外線コードとして出力するものであればよく、ＴＶ２やレコーダ３に付属の専用リモコンであってもよいし、赤外線送信部を有し、この専用リモコンとしての機能を実現するためのプログラム（アプリケーション）が組み込まれたスマートフォン６や携帯電話機であってもよい。
【００３８】
ＵＳＢ端子２７は、ＵＳＢと呼ばれるシリアルバス規格に則って、周辺機器を接続するための周知のものであり、接続された周辺機器との間で各種データを送受信するインターフェースとして用いられるだけでなく、ホストバスアダプタ（非図示）からその電源（電力）を周辺機器に供給するバスパワーとしても用いられる。
【００３９】
制御部２４は、ＣＰＵ，ＲＯＭ，ＲＡＭ，フラッシュメモリ等を有する周知のマイクロコンピュータを中心に構成されており、ＣＰＵがＲＯＭまたはフラッシュメモリに記憶されたプログラムに基づいて、ＲＡＭを作業エリアとして用い、各種の制御処理を実行するように構成されている。
【００４０】
具体的には、制御部２４は、例えば、赤外線受光部２６から入力した赤外線コードや、ＨＤＭＩ入力端子２５から入力したＴＶ操作指令（後述する）に基づいて、ユーザによる視聴操作に応じた放送チャンネルをＴＶチューナ２１に選局させることで、その放送チャンネルのＴＶ番組を、ディスプレイ２２にモニタ出力させつつ、スピーカ２３に音声出力させる。
【００４１】
また、制御部２４は、ＨＤＭＩ入力端子２５を介してデジタルコンテンツやＷＥＢコンテンツを入力すると、これらのコンテンツに応じた画像をディスプレイ２２にモニタ出力させたり、コンテンツに応じた音声をスピーカ２３に出力させたりする。
【００４２】
＜デジタルメディアサーバ（レコーダ）の構成＞
図２（ｂ）に示すように、レコーダ３は、ＴＶチューナ３１と、ハードディスクドライブ（以下「ＨＤＤ」という）３２と、ＬＡＮに接続されるネットワークインターフェース（以下「ネットワークＩＦ」という）３３と、制御部３４とを備えて構成される。
【００４３】
ＴＶチューナ３１は、ＴＶ２のＴＶチューナ２１と同様、各放送チャンネルのＴＶ番組を選局する周知のものである。
ＨＤＤ３２は、大容量記憶媒体であり、例えばＴＶチューナ３１を介して受信したＴＶ番組のうち、録画されたＴＶ番組（録画番組）を記録（記憶）したり、記憶されている録画番組を再生したりするために用いられる。また、ＨＤＤ３２には、デジタルコンテンツとして、録画番組以外にも、写真や動画といった各種の画像データや、音楽等の楽曲データを含む各種の音声データが格納されるようになっている。なお、視聴コンテンツにおける録画番組や楽曲データには、これらをコマ割りで構成する単位データ毎にそのデータの先頭からの経過時間を示すタイムコードが含まれている。
【００４４】
制御部３４は、ＣＰＵ，ＲＯＭ，ＲＡＭ，フラッシュメモリ等を有する周知のマイクロコンピュータを中心に構成されており、ＣＰＵがＲＯＭまたはフラッシュメモリに記憶されたプログラムに基づいて、ＲＡＭを作業エリアとして用い、各種の制御処理を実行するように構成されている。
【００４５】
具体的には、制御部３４は、例えば、ＴＶチューナ３１を介して受信したＴＶ番組を、所定の形式（例えばＭＰＥＧ形式）の映像音声データに変換して、そのデータファイル（録画番組データ）をＨＤＤ３２に記憶したり、各種機器やメディア等から入力された画像データや音声データをＨＤＤ３２に記憶したりする等、各種のデジタルコンテンツをＨＤＤ３２に記憶する処理を行う。
【００４６】
また、制御部３４は、ネットワークＩＦ３３を介して受信した指令情報（後述する）に応じて、その指令情報が示す送信先に、ＨＤＤ３２に記憶されているデジタルコンテンツのコンテンツ名の一覧を示すデータ（以下「コンテンツリスト」という）や、コンテンツリストに示されたデジタルコンテンツのうち、ユーザによる視聴操作に応じたデジタルコンテンツ（以下「視聴コンテンツ」という）を、ネットワークＩＦ３３を介して送信する処理を行う。
【００４７】
なお、制御部３４は、ユーザによるレコーダ３の視聴操作（以下「ビデオ視聴操作」という）に応じて、録画番組の再生の他、早送りや巻き戻し、スキップ、Ｎ（Ｎ＞１）倍速再生（音声付き早見再生）、一時停止、停止などを行うようになっており、ネットワークＩＦ３３を介して送信される視聴コンテンツには、これらの視聴操作が反映されることになる。
【００４８】
＜コンテンツ中継装置（ＳＴＢ）の構成＞
図３に示すように、ＳＴＢ４は、内部時計４１と、無線ＬＡＮアダプタ４２ａと、近距離無線通信部４２ｂと、赤外線コード入力部４３と、制御部４４と、ＨＤＭＩ接続部４５と、赤外線コード受信部４６と、ＵＳＢ端子４７と、給電部４８とを備えて構成される。そして、本実施形態のＳＴＢ４では、スティック状の筐体（非図示）に、内部時計４１、無線ＬＡＮアダプタ４２ａと、近距離無線通信部４２ｂ、赤外線コード入力部４３、および制御部４４が格納されている。
【００４９】
給電部４８は、ＴＶ２のＵＳＢ端子２７に接続され、ＵＳＢ端子２７を介してＴＶ２から電源の供給を受けて、各部４１〜４７にその電源を供給するように構成されている。
ＵＳＢ端子４７は、ＴＶ２のＵＳＢ端子２７と同様、ＵＳＢと呼ばれるシリアルバス規格に則って、周辺機器を接続するためのものであり、本実施形態では、周辺機器としてマウスやキーボード等を接続することができる。
【００５０】
赤外線コード受信部４６は、ＴＶ２の赤外線受光部２６と同様、ＴＶ用リモコン５から送信されてくる赤外線コードを受光し、その赤外線コードを赤外線コード入力部４３に出力するものである。本実施形態の赤外線コード受信部４６は、ＴＶ２の赤外線受光部２６を覆う位置に設置される。これにより、ＴＶ用リモコン５から送信されてくる赤外線コードは、ＴＶ２の赤外線受光部２６で受光されることなく、赤外線コード受信部４６を介して赤外線コード入力部４３に入力されることになる。
【００５１】
赤外線コード入力部４３は、赤外線コード受信部４６から出力された赤外線コードが示すＴＶ視聴操作の内容を示す情報を制御部４４に入力するように構成されている。本実施形態の赤外線コード入力部４３は、赤外線コード受信部４６に接続されており、ＴＶ視聴操作の内容を示す情報を制御部４４に入力する。
【００５２】
ＨＤＭＩ接続部４５は、ＴＶ２のＨＤＭＩ入力端子２５に接続され、制御部４４が生成したＴＶ操作指令（後述する）を示す制御信号や、制御部４４を介して入力されたＷＥＢコンテンツやデジタルコンテンツ（録画番組データ等）をＴＶ２に出力するために用いられる。
【００５３】
無線ＬＡＮアダプタ４２ａは、無線ＬＡＮに接続することにより、無線ルータ７を介してレコーダ３やスマートフォン６と各種データの送受信を行うためのものであり、近距離無線通信部４２ｂは、Ｂｌｕｅｔｏｏｔｈ（登録商標）により規定された通信周波数帯の電波によって、スマートフォン６と近距離無線通信を行うように構成されている。
【００５４】
また、無線ＬＡＮアダプタ４２ａは、無線ルータ７を経由してインターネット網１０に接続されたサーバから各種のＷＥＢコンテンツを取得したり、制御部４４が生成したＴＶ視聴ログデータ（後述する）を、無線ルータ７を経由してインターネット網１０に接続された管理サーバ９に送信したりするためにも用いられる。
【００５５】
内部時計４１は、制御部４４がＴＶ視聴ログデータ（後述する）を生成する際に時刻を記録するために使用される時計であり、タイムサーバ８が刻む時刻に同期するようになっている。
【００５６】
制御部４４は、ＣＰＵ，ＲＯＭ，ＲＡＭ，フラッシュメモリ等を有する周知のマイクロコンピュータを中心に構成されており、ＣＰＵがＲＯＭまたはフラッシュメモリに記憶されたプログラムに基づいて、ＲＡＭを作業エリアとして用い、以下のＳＴＢ制御処理を実行するように構成されている。なお、プログラムは、ネットワークを介してマイクロコンピュータにロードされて用いられてもよい。また、プログラムは、ＣＰＵにて読み取り可能なあらゆる形態の記録媒体に記録されて用いられてもよい。記録媒体としては、例えば、持ち運び可能な半導体メモリ（例えばＵＳＢメモリ、メモリカード（登録商標）など）などが含まれる。
【００５７】
＜ＳＴＢ制御処理＞
次に、ＳＴＢ４の制御部４４（ＣＰＵ）が実行するＳＴＢ制御処理について、図４のフローチャートに沿って説明する。なお、本処理は、ＳＴＢ４の給電部４８がＴＶ２のＵＳＢ端子２７に接続されると開始され、ＵＳＢ端子２７を介してＴＶ２から給電されている間、繰り返し実行される。
【００５８】
まず、本処理が開始されると、Ｓ１１０では、制御部４４のＣＰＵは、予め設定された内部時計４１の調整タイミングであるか否かを判断し、ここで肯定判断すると、Ｓ１２０に移行し、否定判断すると、Ｓ１４０に移行する。
【００５９】
Ｓ１２０では、無線ＬＡＮアダプタ４２ａを介してインターネット網１０に接続されたタイムサーバ８にアクセスし、タイムサーバ８から現在の標準時刻を示す標準時刻情報を取得する。その後、続くＳ１３０では、Ｓ１２０で取得した標準時刻情報に基づいて内部時計４１を調整し、内部時計４１の時刻をタイムサーバ８が刻む標準時刻に同期させて、Ｓ１４０に移行する。
【００６０】
Ｓ１４０では、ＵＳＢ端子４７を介してユーザによるマウスやキーボードを用いたブラウザ操作を入力したか否かを判断し、ここで肯定判断すると、Ｓ１５０に移行し、否定判断すると、Ｓ１６０に移行する。
【００６１】
Ｓ１５０では、Ｓ１４０で入力したブラウザ操作に基づいて、無線ＬＡＮアダプタ４２ａを介してインターネット網１０に接続されたサーバ（非図示）にアクセスし、サーバから提供されるＷＥＢコンテンツを受信して、ＨＤＭＩ接続部４５を介してそのＷＥＢコンテンツをＴＶ２に出力させるＷＥＢ制御処理を実行し、Ｓ１６０に移行する。
【００６２】
Ｓ１６０では、無線ＬＡＮアダプタ４２ａまたは近距離無線通信部４２ｂを介して指令情報を入力したか否かを判断し、ここで肯定判断すると、Ｓ１７０に移行し、否定判断すると、Ｓ１８０に移行する。なお、指令情報は、スマートフォン６によって生成される情報であって、レコーダ３に記憶されているデジタルコンテンツのうち、ユーザによるビデオ視聴操作に応じた視聴コンテンツを、レコーダ３から予め指定された装置へ送信させるために、ビデオ視聴操作の内容や視聴コンテンツの送信先が記述されている。本実施形態では、視聴コンテンツの送信先として、少なくともＳＴＢ４が含まれていることとする。
【００６３】
Ｓ１７０では、Ｓ１６０で入力した指令情報を、無線ＬＡＮアダプタ４２ａを介してレコーダ３に送信し、これに対する応答としてレコーダ３から無線ＬＡＮアダプタ４２ａを介して受信した視聴コンテンツを、ＨＤＭＩ接続部４５を介してＴＶ２に転送するコンテンツ転送処理を実行して、Ｓ１８０に移行する。
【００６４】
Ｓ１８０では、赤外線コード入力部４３を介してユーザによるＴＶ視聴操作の内容を示す情報を入力したか否かを判断し、ここで肯定判断すると、Ｓ１９０に移行し、否定判断すると、Ｓ１１０に戻る。
【００６５】
Ｓ１９０では、Ｓ１６０で入力した情報に基づいて、ＴＶ視聴操作に応じたＴＶ番組をＴＶ２に選局させるためのＴＶ操作指令を、ＨＤＭＩ接続部４５を介してＴＶ２に送信する視聴操作制御を行い、この視聴操作制御によってＴＶ２に出力させたＴＶ番組を特定するためのＴＶ視聴ログデータを生成して管理サーバ９に送信するログデータ送信処理を行って、Ｓ１１０に戻る。なお、ＴＶ視聴ログデータには、視聴操作制御によってＴＶ２に出力させたＴＶ番組の放送チャンネルや、そのＴＶ番組の視聴開始時刻および視聴終了時刻、ＳＴＢ４を識別するためのＳＴＢ識別情報が含まれている。なお、ＴＶ番組の視聴開始時刻および視聴終了時刻は、Ｓ１３０でタイムサーバ８が刻む時刻に同期した内部時計４１から取得しているものとする。
【００６６】
＜管理サーバの構成＞
次に、図５（ａ）に示すように、管理サーバ９は、インターネット網１０に接続されるネットワークインターフェース（以下「ネットワークＩＦ」という）９１と、ＳＴＢ４およびスマートフォン６から送られてくる視聴ログデータを記憶するデータベース９２（ハードディスク装置等）と、制御部９３とを備えて構成される。
【００６７】
図５（ｂ）に示すように、データベース９２には、ＳＴＢ識別情報毎に、ユーザによって視聴されたＴＶ番組の放送チャンネルや、そのＴＶ番組の視聴開始時刻および視聴終了時刻が記憶される領域（以下「ＴＶ用領域」という）９２ａと、スマートフォン６の所有者を識別するための識別情報（以下「ＳＰ識別情報」という）毎に、ユーザによって視聴された録画番組を特定するためのビデオ視聴ログデータが記憶される領域（以下「ビデオ用領域」という）９２ｂとが設けられている。
【００６８】
ビデオ視聴ログデータは、ユーザによって視聴された録画番組を示す録画番組情報９４と、その録画番組に関するビデオ視聴操作の種別を示す操作情報９５と、そのビデオ視聴操作がなされた日時を示す日時情報９６と、そのビデオ視聴の操作時点における録画番組のタイムコード９７とが対応づけられてデータベース９２のビデオ用領域９２ｂに記憶されている。なお、操作情報９５では、ビデオ視聴操作の種別として、例えば、録画番組の再生や、早送り、巻き戻し、スキップ、Ｎ（Ｎ＞１）倍速再生（音声付き早見再生）、一時停止、停止などがある。また、日時情報９６は、スマートフォン６が、タイムサーバ８が刻む時刻に同期して、ビデオ視聴操作がなされた日時（つまり、ビデオ視聴操作の開始タイミング）を特定した情報である。ちなみに、管理サーバ９の制御部９３は、各ビデオ視聴操作の終了タイミングを、その直後のビデオ視聴操作の開始タイミングやタイムコード９７によって特定することができる。
【００６９】
制御部９３は、ＣＰＵ，ＲＯＭ，ＲＡＭ，フラッシュメモリ等を有する周知のマイクロコンピュータを中心に構成されており、ＣＰＵがＲＯＭまたはフラッシュメモリに記憶されたプログラムに基づいて、ＲＡＭを作業エリアとして用い、以下の各種処理を実行するように構成されている。
【００７０】
例えば、制御部９３は、ネットワークＩＦ９１を介して、ＳＰ識別情報を含むビデオ視聴ログデータを受信すると、データベース９２のビデオ用領域９２ｂにおいて、そのＳＰ識別情報に対応するテーブル９９にビデオ視聴ログデータが示す録画番組情報９４、操作情報９５、日時情報９６、およびタイムコード９７を書き込む。
【００７１】
そして、制御部９３は、データベース９２のビデオ用領域９２ｂ記憶されている複数のテーブル９９に基づいて、各録画番組に対する視聴率を、次式に従って算出する。
視聴率＝対象となる録画番組を特定できたテーブル数／標本数×１００（％）
但し、標本数は、データベース９２内のテーブル９９の数（即ち、被験者の数）に相当し、対象となる録画番組は、録画番組情報９４によって特定される。つまり、対象となる録画番組を特定できたテーブル数は、その録画番組を視聴した被験者の数に相当する。
【００７２】
また、制御部９３は、テーブル９９に書き込まれた操作情報９５および日時情報９６（タイムコード９７でも可）に基づいて、例えば再生された録画番組のどの部分が早送りやスキップされたか、どの部分が早送りやスキップされずに再生されたか、どの部分がＮ（Ｎ＞１）倍速再生（音声付き早見再生）されたか等を特定することが可能となるため、録画番組における各時刻の詳細な視聴率を調査することができる。
【００７３】
なお、制御部９３は、ネットワークＩＦ９１を介して、ＳＴＢ識別情報を含むＴＶ視聴ログデータを受信すると、データベース９２のＴＶ用領域９２ａにおいて、そのＳＴＢ識別情報に対応するテーブル９９にＴＶ視聴ログデータが示す放送チャンネルや、そのＴＶ番組の視聴開始時刻および視聴終了時刻を書き込む。
【００７４】
そして、制御部９３は、データベース９２のＴＶ用領域９２ａに記憶されている複数のテーブル９９に基づいて、各ＴＶ番組に対する時刻毎の視聴率を、次式に従って算出することができる。
【００７５】
視聴率＝リアルタイム視聴数／標本数×１００（％）
但し、リアルタイム視聴数は、対象となるＴＶ番組に対応する放送チャンネルが書き込まれており、且つ、対象となる時刻がその放送チャンネルに対応づけられた視聴開始時刻から視聴チャンネルが切り替えられる視聴終了時刻までの間に存在しているテーブル９９の数（即ち、対象となる時刻に対象となるＴＶ番組を視聴している被験者の数）に相当する。
【００７６】
＜デジタルメディアコントロール装置（スマートフォン）の構成＞
次に、図６に示すように、スマートフォン６は、内部時計６１と、無線ＬＡＮアダプタ６２ａと、近距離無線通信部６２ｂと、赤外線コード送信部６３と、制御部６４と、タッチパネル部６５と、音声入力部６６と、音声出力部６７と、基地局通信部６８とを備えて構成される。
【００７７】
内部時計６１は、制御部６４がビデオ視聴ログデータを生成する際に時刻を記録するために使用される時計であり、タイムサーバ８が刻む時刻に同期するようになっている。
無線ＬＡＮアダプタ６２ａは、無線ＬＡＮに接続することにより、無線ルータ７を介してレコーダ３やＳＴＢ４と各種データの送受信を行うためのものであり、近距離無線通信部４２ｂは、Ｂｌｕｅｔｏｏｔｈ（登録商標）により規定された通信周波数帯の電波によって、ＳＴＢ４と近距離無線通信を行うように構成されている。
【００７８】
赤外線コード送信部６３は、ユーザによるＴＶ視聴操作の内容を示す情報を赤外線コードとして出力するためのものである。
音声入力部６６は、周囲から集音した音声を電圧信号に変換するマイクロフォンを有し、このマイクロフォンを介して入力した電圧信号に基づいて、音声データを生成する周知のものである。
【００７９】
音声出力部６７は、音声データを音声信号に復調する復調器や、復調器にて復調された音声信号を増幅するアンプ、アンプにて増幅された音声信号に基づく出力を行うスピーカ等を有する周知のものである。
【００８０】
基地局通信部６８は、スマートフォン６の位置をカバーする通信エリア内の基地局に接続され、他の携帯情報端末（スマートフォンや携帯電話機等）との間で通話に関する音声データや電子メールに関する各種データ等の授受を行ったり、インターネット網１０を介して、ＷＥＢ上のサーバ等との間で各種データのダウンロード及びアップロードを行ったりする周知のものである。
【００８１】
タッチパネル部６５は、各種データに基づく画像を表示する表示パネル、及び、表示パネルの表面に一体的に配設された入力パネルからなる周知のものである。なお、表示パネルは、矩形状に形成され、例えば対角線が３．５インチの薄型の液晶ディスプレイあるいは有機ＥＬディスプレイにて構成されている。また、入力パネルは、ユーザによる表示パネルの画像表示面への押下操作を検出して、その押下操作がなされた画像表示面上の座標（検出位置）を表す位置データを、制御部６４に入力する周知のものである。なお、入力パネルとしては、マトリックススイッチ方式や、抵抗膜方式、表面弾性波方式、電磁誘導方式、静電容量方式などの周知の方式のうちいずれの方式のものが採用されてもよい。
【００８２】
制御部６４は、ＣＰＵ，ＲＯＭ，ＲＡＭ，フラッシュメモリ等を有する周知のマイクロコンピュータを中心に構成されており、ＣＰＵがＲＯＭまたはフラッシュメモリに記憶されたプログラムに基づいて、ＲＡＭを作業エリアとして用い、スマートフォン６における一般的な機能を実現させるための処理の他、以下のＤＭＣ制御処理を実行するように構成されている。なお、プログラムは、ネットワークを介してマイクロコンピュータにロードされて用いられてもよい。また、プログラムは、ＣＰＵにて読み取り可能なあらゆる形態の記録媒体に記録されて用いられてもよい。記録媒体としては、例えば、持ち運び可能な半導体メモリ（例えばＵＳＢメモリ、メモリカード（登録商標）など）などが含まれる。
【００８３】
＜ＤＭＣ制御処理＞
ここで、スマートフォン６の制御部６４（ＣＰＵ）が実行するＤＭＣ制御処理について、図７のフローチャートに沿って説明する。なお、本処理は、ユーザによるタッチパネル部６５の操作によって、スマートフォン６をＤＭＣとして機能させるためのプログラム（アプリケーション）が起動すると開始され、このアプリケーションがユーザによって閉じられるまで、繰り返し実行される。
【００８４】
まず、本処理が開始されると、Ｓ２１０では、制御部６４のＣＰＵは、予め設定された内部時計６１の調整タイミングであるか否かを判断し、ここで肯定判断すると、Ｓ２２０に移行し、否定判断すると、Ｓ２４０に移行する。
【００８５】
Ｓ２２０では、基地局通信部６８または無線ＬＡＮアダプタ６２ａを介してインターネット網１０に接続されたタイムサーバ８にアクセスし、タイムサーバ８から現在の標準時刻を示す標準時刻情報を取得する。その後、続くＳ２３０では、Ｓ２２０で取得した標準時刻情報に基づいて内部時計６１を調整し、内部時計６１の時刻をタイムサーバ８が刻む標準時刻に同期させて、Ｓ２４０に移行する。
【００８６】
Ｓ２４０では、タッチパネル部６５を介して、ユーザが視聴したい録画番組を探すための一覧表示操作を入力したか否かを判断し、ここで肯定判断すると、Ｓ２５０に移行し、否定判断すると、Ｓ２６０に移行する。
【００８７】
Ｓ２５０では、Ｓ２４０で入力した一覧表示操作に応じて、ＨＤＤ３２に記憶されている録画番組のコンテンツ名の一覧を示すコンテンツリストの送信要求を、無線ＬＡＮアダプタ６２ａを介してレコーダ３に送信する。すると、図８に示すように、レコーダ３から、番組タイトル、放送局、放送日、および録画時間などを録画番組毎に示すコンテンツリストがスマートフォン６に送信されるので、このコンテンツリストをタッチパネル部６５に表示する。
【００８８】
続くＳ２６０では、タッチパネル部６５を介して、ユーザが視聴したい録画番組を決定するビデオ視聴操作（以下「番組決定操作」という）を入力したか否かを判断し、ここで肯定判断すると、Ｓ２７０に移行し、否定判断すると、Ｓ２８０に移行する。
【００８９】
Ｓ２７０では、Ｓ２６０で入力した番組決定操作に基づいて、ユーザが視聴したい録画番組を再生するための指令情報（以下「再生指令情報」という）を生成し、この再生指令情報を、近距離無線通信部６２ｂまたは無線ＬＡＮアダプタ６２ａを介してＳＴＢ４に送信する。すると、図８に示すように、ＳＴＢ４がこの再生指令情報をレコーダ３に転送することにより、レコーダ３から、録画番組データがＳＴＢ４およびスマートフォン６に送信されるので、この録画番組データに基づく画像（映像）および音声をタッチパネル部６５に表示する。また、ＳＴＢ４が行うコンテンツ転送処理によって、ＴＶ２からも同じ録画番組データに基づく画像（映像）および音声が出力される。なお、指令情報には、ユーザによるタッチパネル部６５の操作によって、録画番組の送信元としてレコーダ３、録画番組の送信先としてＳＴＢ４およびスマートフォン６が予め指定されているものとする。
【００９０】
続くＳ２８０では、タッチパネル部６５を介して、ユーザによる録画番組の早送りや巻き戻し、スキップ、Ｎ（Ｎ＞１）倍速再生（音声付き早見再生）、一時停止、停止といったビデオ視聴操作（以下「番組遠隔操作」という）を入力したか否かを判断し、ここで肯定判断すると、Ｓ２９０に移行し、否定判断すると、Ｓ３００に移行する。
【００９１】
Ｓ２９０では、Ｓ２８０で入力した番組遠隔操作に対応するレコーダ制御を実施させるための指令情報（以下「制御指令情報」という）を生成し、この制御指令情報を、近距離無線通信部６２ｂまたは無線ＬＡＮアダプタ６２ａを介してＳＴＢ４に送信する。すると、図８に示すように、ＳＴＢ４がこの制御指令情報をレコーダ３に転送することにより、レコーダ３から、番組遠隔操作を反映した録画番組データがＳＴＢ４およびスマートフォン６に送信されるので、この録画番組データに基づく画像（映像）および音声をタッチパネル部６５に表示する。また、ＳＴＢ４が行うコンテンツ転送処理によって、ＴＶ２からも同じ録画番組データに基づく画像（映像）および音声が出力される。
【００９２】
続くＳ３００では、Ｓ２６０およびＳ２８０の少なくとも一方で入力したビデオ視聴操作がなされた日時を示す日時情報９６、そのビデオ視聴操作の種別を示す操作情報９５、そのビデオ視聴の操作時点における再生中の録画番組のタイムコード、および再生中の録画番組を特定するための録画番組情報９４を含むビデオ視聴ログデータを生成して、Ｓ３１０に移行する。なお、日時情報９６は、Ｓ２６０やＳ２８０でビデオ視聴操作が入力される毎に、その入力タイミングを、タイムサーバ８に同期した内部時計６１から取得しているものとする。また、図示を省略するが、Ｓ２６０およびＳ２８０のいずれでもビデオ視聴操作が入力されなかった場合には、Ｓ３００は省略されることになる。
【００９３】
Ｓ３１０では、Ｓ３００で生成されたビデオ視聴ログデータに、スマートフォン６の所有者を識別するためのＳＰ識別情報を付加し、ＳＰ識別情報を含むビデオ視聴ログデータを、基地局通信部６８または無線ＬＡＮアダプタ６２ａを介してインターネット網１０に接続された管理サーバ９に送信し、Ｓ２１０に戻る。但し、Ｓ３１０では、Ｓ３００でビデオ視聴ログデータを生成する毎に送信する必要はなく、複数のビデオ視聴ログデータを、所定の送信タイミングで送信するようになっている。
【００９４】
なお、Ｓ２６０〜Ｓ３１０の処理を行う制御部６４（ＣＰＵ）がログデータ送信手段の一例に相当する。
＜効果＞
以上説明したように、本実施形態のホームネットワークシステム１ａでは、ＤＭＰ機能が内蔵されていないＴＶ２のＨＤＭＩ入力端子２５に接続されたＳＴＢ４が、レコーダ３からＬＡＮを介して送信される録画番組データをＴＶ２に転送することにより、レコーダ３に記憶されている録画番組をＴＶ２から出力させる。
【００９５】
よって、ＳＴＢ４を構成に加入することにより、ＤＭＰ機能が内蔵されたＴＶを新たに購入することなく、既存の構成を利用して容易にホームネットワークシステム１ａを構築することができる。また、ＴＶ２がレコーダ３にＬＡＮを介して接続不可な構成であっても、レコーダ３に記憶されている録画番組を、ＳＴＢ４を経由してＴＶ２から出力することができる。
【００９６】
また、本実施形態のホームネットワークシステム１ａでは、スマートフォン６が、ユーザによるビデオ視聴操作に応じた録画番組データをＳＴＢ４およびスマートフォン６へ送信させるための指令情報（再生指令情報、制御指令情報）を生成し、その指令情報をＳＴＢ４経由でレコーダ３に送信する。
【００９７】
よって、スマートフォン６を構成に加入することにより、ビデオ視聴操作を遠隔的に行うことができるため、ユーザにとって利便性が増すことになる。また、レコーダ３に記憶されている録画番組をスマートフォン６からも出力させることにより、スマートフォン６に表示された録画番組を見ながら、各種のビデオ視聴操作を行うことができるため、ユーザにとって利便性がさらに増すことになる。
【００９８】
また、本実施形態のホームネットワークシステム１ａでは、スマートフォン６が、ユーザによるビデオ視聴操作を受け付けると、その操作に応じた録画番組を特定するためのビデオ視聴ログデータを管理サーバ９に送信し、ＳＴＢ４が、ユーザによるＴＶ視聴操作を受け付けると、ＴＶ２に選局させたＴＶ番組を特定するためのＴＶ視聴ログデータを管理サーバ９に送信する。
【００９９】
よって、管理サーバ９が、各家庭のホームネットワークシステム１ａから送られてくる視聴ログデータ（ビデオ視聴ログデータ、ＴＶ視聴ログデータ）を基に、録画番組やＴＶ番組（リアルタイム）の視聴率調査を好適に行うことができる。
【０１００】
＜他の実施形態＞
以上、本発明の実施形態について説明したが、本発明は上記実施形態に限定されるものではなく、本発明の要旨を逸脱しない範囲において、様々な態様にて実施することが可能である。
【０１０１】
例えば、上記実施形態のホームネットワークシステム１ａでは、ＳＴＢ４が、レコーダ３からＬＡＮを介して送信される録画番組データをＴＶ２に転送しているが、これに限定されるものではなく、ＴＶ２がＬＡＮに接続可能な構成である場合、レコーダ３からＬＡＮを介してＴＶ２に送信される録画番組データを出力するようにＴＶ２に対して制御（デジタル出力制御）を行ってもよい。また、ＳＴＢ４が行うデジタル出力制御では、録画番組データに限らず、写真や音楽等の各種のデジタルコンテンツをＴＶ２から出力させてもよい。なお、上記実施形態では、コンテンツ出力装置としてＴＶ２を例に挙げて説明したが、これに限定されるものではなく、例えばコンテンツ出力装置としてＡＶアンプ付きスピーカから音声を出力させてもよい。
【０１０２】
また、上記実施形態のホームネットワークシステム１ａでは、スマートフォン６が、指令情報（再生指令情報、制御指令情報）をＳＴＢ４経由でレコーダ３に送信しているが、これに限定されるものではなく、指令情報（再生指令情報、制御指令情報）を、無線ＬＡＮを介して（ＳＴＢ４を経由させずに）直接レコーダ３に送信してもよい。
【０１０３】
また、上記実施形態のホームネットワークシステム１ａでは、ＳＴＢ４が、ＴＶ視聴ログデータを管理サーバ９に送信しているが、これに限定されるものではなく、スマートフォン６が、ユーザによるＴＶ視聴操作の内容を示す情報を赤外線コードとして出力する際に、そのＴＶ視聴操作に応じたＴＶ番組を特定するためのＴＶ視聴ログデータを管理サーバ９に送信してもよい。この場合、スマートフォン６が、前述したＳＰ識別情報を付加したＴＶ視聴ログデータを管理サーバ９に送信することにより、管理サーバ９は、録画番組だけでなく、リアルタイムに視聴されたＴＶ番組やＣＭ毎に視聴者の年齢層や性別を特定することができるため、ＴＶ番組に関するより詳細な視聴率調査を行うことが可能となる。
【０１０４】
また、上記実施形態のホームネットワークシステム１ａでは、ＳＴＢ４が、給電部４８を備え、ＵＳＢ端子２７を介してＴＶ２から電源の供給を受けるように構成されているが、これに限定されるものではなく、家庭内のコンセントに接続されて電源の供給を受ける構成でもよい。
【符号の説明】
【０１０５】
１…視聴率調査システム、１ａ…ホームネットワークシステム、２…ＴＶ、３…レコーダ、４…ＤＴＢ、５…ＴＶ用リモコン、６…スマートフォン、７…無線ルータ、８…タイムサーバ、９…管理サーバ、１０…インターネット網、２５…ＨＤＭＩ入力端子。
【図２】
2014207522.tif 000003
【図４】
2014207522.tif 000004
【図５】
2014207522.tif 000005
【図６】
2014207522.tif 000006
【図７】
2014207522.tif 000007
【図１】
2014207522.tif 000008
【図３】
2014207522.tif 000009
【図８】
2014207522.tif 000010